(57)【要約】【課題】異物遮蔽体がロープの振れ角および捻れ角の双方に対応することができる、エレベータの提供。【解決手段】かご吊車４に巻き掛けられたロープ９により昇降されるかご２を備えたエレベータにおいて、第１および第２の遮蔽部材３１，３２を有する異物遮蔽体１３と、自在継手１６ａ，１６ｂと、弾性体１４ａ，１４ｂとが設けられ、第１及び第２の遮蔽部材は、対向するように配置されてロープを囲んでおり、第１及び第２の遮蔽部材はそれぞれ、かご吊車の上方に配置されており、第１及び第２の弾性体それぞれは、第１及び第２の自在継手の対応するそれぞれを介して、異物遮蔽体を支持している。【選択図】図３
2015151249.tif 000002
【特許請求の範囲】
【請求項１】
複数のガイドに巻き掛けられたロープにより昇降されるかごを備えたエレベータであって、
第１及び第２の遮蔽部材を有する異物遮蔽体と、
第１及び第２の自在継手と、
第１及び第２の弾性体とを備えており、
前記第１及び第２の遮蔽部材は、対向するように配置されて前記ロープを囲んでおり、
前記第１及び第２の遮蔽部材はそれぞれ、少なくとも一つの前記ガイドの上方に配置されており、
前記第１及び第２の弾性体それぞれは、前記第１及び第２の自在継手の対応するそれぞれを介して、前記異物遮蔽体を支持している、
エレベータ。
【請求項２】
前記複数のガイドには、かご吊車が含まれており、
前記かご吊車は、支持枠を介して、前記かごの底部に支持されており、
前記第１及び第２の遮蔽部材はそれぞれ、前記かご吊車の上方に配置されており、
前記第１及び第２の弾性体それぞれの他端は、前記支持枠によって支持されている、
請求項１のエレベータ。
【請求項３】
前記ガイドの上方に配置された前記異物遮蔽体の当該ガイド側には、異物落下防止カバーが設けられている、
請求項１または２のエレベータ。
【発明の詳細な説明】
【技術分野】
【０００１】
本発明は、エレベータに関するものである。
【背景技術】
【０００２】
特許文献１には、エレベータにおいて、吊り車のロープ出入口を異物から防護する技術が開示されている。具体的には、ロープ出入口を閉塞する防護ユニットが、ロープ出入口の上方に設けられており、その防護ユニットは、吊り車に対して移動可能に設けられ、さらに、ばねでロープに常時、接触するように偏倚されている。
【先行技術文献】
【特許文献】
【０００３】
【特許文献１】特開２００９−２６３０７６号公報
【発明の概要】
【発明が解決しようとする課題】
【０００４】
しかしながら、上述した特許文献１に開示の構成では、ロープの振れ角には対応できるものの、ロープの捻れ角には対応することができない。
【０００５】
本発明は、上記に鑑みてなされたものであり、異物遮蔽体がロープの振れ角および捻れ角の双方に対応することができる、エレベータを提供することを目的とする。
【課題を解決するための手段】
【０００６】
上述した目的を達成するため、本発明は、複数のガイドに巻き掛けられたロープにより昇降されるかごを備えたエレベータであって、第１及び第２の遮蔽部材を有する異物遮蔽体と、第１及び第２の自在継手と、第１及び第２の弾性体とを備えており、前記第１及び第２の遮蔽部材は、対向するように配置されて前記ロープを囲んでおり、前記第１及び第２の遮蔽部材はそれぞれ、少なくとも一つの前記ガイドの上方に配置されており、前記第１及び第２の弾性体それぞれは、前記第１及び第２の自在継手の対応するそれぞれを介して、前記異物遮蔽体を支持している。
【発明の効果】
【０００７】
本発明によれば、異物遮蔽体がロープの振れ角および捻れ角の双方に対応することができる。
【図面の簡単な説明】
【０００８】
【図１】本発明の実施の形態１のエレベータを示す側面図である。
【図２】本実施の形態１における、かご吊り車周辺および異物噛み込み防止装置の斜視図である。
【図３】図２の異物噛み込み防止装置の分解斜視図である。
【図４】図２において、ロープの進入角度変化に追従している状態を示す図である。
【図５】図２の状態の要部を示す平面図である。
【図６】図２の状態の要部を示す側面図である。
【図７】図４の状態に関する、図５と同態様の図である。
【図８】図４の状態に関する、図６と同態様の図である。
【図９】本発明の実施の形態２における、かご吊り車周辺および異物噛み込み防止装置の斜視図である。
【図１０】図９の状態の要部を示す平面図である。
【図１１】図９の状態の要部を示す側面図である。
【図１２】エレベータのかごが最下階に停止した状態を示す側面図である。
【図１３】図１２のかごが、最上階に停止した状態を示す側面図である。
【図１４】図１２のかごの移動によるロープの振れ角の変化を示す説明図である。
【図１５】本発明の実施の形態２に関する、図５と同態様の図である。
【図１６】本実施の形態２に関する、図６と同態様の図である。
【図１７】図１６の矢印Ｈからみた図である。
【発明を実施するための形態】
【０００９】
以下、本発明の実施の形態について添付図面に基づいて説明する。なお、図中、同一符号は同一又は対応部分を示すものとする。
【００１０】
実施の形態１．
図１は、本発明の実施の形態１のエレベータを示す側面図である。エレベータは、上下に延びる昇降路１内を移動可能に設けられたかご２および釣合おもり３を備えている。かご２および釣合おもり３は、昇降路１を画定している壁に固定されたガイドレール（図示省略）に沿って案内される。
【００１１】
昇降路１内にはさらに、かご２及び釣合おもり３が昇降可能に設けられている。これらかご２及び釣合おもり３は巻上機５によって駆動されるロープ９によって相互に上下反対方向に移動される。
【００１２】
昇降路１内のより具体的なレイアウトについて説明する。まず、昇降路１内の下部には、巻上機５が配置されており、昇降路１内の上部には、かご返し車７および釣合おもり返し車８が配置されている。また、かご２の底部外側には、かご吊車４がかご２と一体昇降するように設けられている。
【００１３】
ロープ９は、巻上機５の綱車６に巻き回されている。巻上機５の綱車６から一方側に延びるロープ９の部分は、かご返し車７に巻き回され、さらに、かご２のかご吊車４に巻き回されている。一方、巻上機５の綱車６から他方側に延びるロープ９の部分は、釣合おもり返し車８に巻き回され、さらに、釣合おもり３に接続されている。
【００１４】
すなわち、エレベータにおいては、昇降路内の複数のガイドに巻き掛けられたロープ９により昇降されるかご２を備えている。ガイドは、ロープ９の延びる向きを変更しているものであり、本実施の形態１では、綱車６、かご返し車７、かご吊車４、釣合おもり返し車８が設けられている。また、これら綱車６、かご返し車７、かご吊車４、釣合おもり返し車８は、設置対象に対して静止している部材ではなく、回転するプーリ（駆動プーリ、従動プーリのいずれでもよい）である。さらに、綱車６、かご返し車７、かご吊車４、釣合おもり返し車８のそれぞれの設置対象には、昇降路１と一体的に静止している対象と、昇降するかご２と一体的に移動する対象とが含まれる。
【００１５】
図２は、本実施の形態１における、かご吊り車周辺および異物噛み込み防止装置の斜視図である。図３は、図２の異物噛み込み防止装置の分解斜視図である。かご吊車４は、枠体である一対のプレート状の支持枠１５によって、かご２の底部外側に固定されている。かご吊車４は、これら一対の支持枠１５に挟まれるように回動自在に支持されている。
【００１６】
エレベータは、かご吊車異物噛み込み防止装置１２を構成する要素として、異物遮蔽体１３と、第１及び第２の自在継手１６ａ，１６ｂと、第１及び第２の弾性体１４ａ，１４ｂとを備えている。
【００１７】
異物遮蔽体１３は、第１の遮蔽部材３１と、第２の遮蔽部材３２とを有している。第１の遮蔽部材３１および第２の遮蔽部材３２は、対向するように配置されて、ロープを囲んでいる。第１の遮蔽部材３１および第２の遮蔽部材３２はそれぞれ、ロープのガイドでありさらにはプーリ（従動プーリ）でもあるかご吊車４の上方に配置されている。第１及び第２の弾性体１４ａ，１４ｂそれぞれの一端は、第１及び第２の自在継手１６ａ，１６ｂの対応するそれぞれを介して、異物遮蔽体を支持しており、第１及び第２の弾性体１４ａ，１４ｂそれぞれの他端は、ガイド（プーリ）の設置対象と一体的に支持されている。本実施の形態１では、かご吊車４は、支持枠１５によって支持されており、第１及び第２の弾性体１４ａ，１４ｂそれぞれの他端は、支持枠１５によって支持されている。
【００１８】
なお、ガイド（プーリ）の設置対象と一体的に支持されている態様とは、必ずしも、昇降路内に移動しない態様（静止している態様）で支持されていることではない。本実施の形態１では、かご吊車４の設置対象は、支持枠１５さらにはかご２である。このため、ガイド（プーリ）の設置対象である支持枠１５さらにはかご２は、昇降路内を昇降するものであり、第１及び第２の弾性体１４ａ，１４ｂそれぞれの他端は、支持枠１５さらにはかご２と一体的に支持されていれば、昇降路から見て移動する態様でもよい。一方、綱車６を、ガイドさらにはプーリ（駆動プーリ）とした場合、綱車６の設置対象は、巻上機５さらには昇降路１の構成壁部であり、不動である。よって、綱車６をガイドとした実施態様では、第１及び第２の弾性体１４ａ，１４ｂそれぞれの他端は、巻上機５あるいは昇降路１の構成壁部と一体的に支持されていれば、昇降路から見て不動の態様でもよい。
【００１９】
上述した構成をより詳細に説明する。支持枠１５は、かご床に固定されている。ロープ９の異物の落下により、かご吊車４とロープ９との間に異物が噛み込むのを防止するため、支持枠１５に保持枠１１が取り付けられ、さらに保持枠１１に弾性体１４ａ，１４ｂが皿ねじ２０により固定されている。保持枠１１は、平面視、コ字状の部材であり、一対の支持枠１５に跨るように当該支持枠１５に固定されている。また、弾性体１４ａ，１４ｂは、コ字状をなす弾性部材の各脚部に位置する板ばねで構成されている。
【００２０】
ロープの進入角度変化や捩じれに対して柔軟に追従できるように、弾性体１４ａ，１４ｂに自在継手１６ａ，１６ｂが取り付けられる。自在継手１６ａ，１６ｂの一端側のねじ部３３ａ，３３ｂに対しては、ロープ９を両側から挟み込むように第１および第２の遮蔽部材３１，３２、ナット１７、ばね座１８および座金１９が貫通しており、図３に示されるような配置関係で、第１および第２の遮蔽部材３１，３２が自在継手１６ａ，１６ｂの一端側のねじ部３３ａ，３３ｂに固定される。自在継手１６ａ，１６ｂの他端側のねじ部３４ａ，３４ｂに対しては、弾性体１４ａ，１４ｂとしての板ばね、ナット１７およびばね座１８が貫通しており、図３に示されるような配置関係で、弾性体１４ａ，１４ｂが自在継手１６ａ，１６ｂの他端側のねじ部３４ａ，３４ｂに固定される。
【００２１】
異物遮蔽体１３は、摩耗に強い超高分子量ポリエチレンやナイロン等で構成され、メンテナンス費用を安価にできるように構成されている。
【００２２】
次に、以上のように構成された本実施の形態１に係るエレベータの作用、特に、かご吊車異物噛み込み防止装置１２の作用について説明する。
【００２３】
図１２は、エレベータのかごが最下階に停止した状態を示す側面図である。図１３は、図１２のかごが、最上階に停止した状態を示す側面図である。図１４は、図１２のかごの移動によるロープの振れ角の変化を示す説明図である。
【００２４】
ロープ９のかご吊車４への進入角度は、かご２が最下階から最上階に変位することにより、図１４に示されるように、進入角度（振れ角）はα１からα２に変化する。また、これと同時に、昇降路１の上部に設置されたかご返し車７とかご吊車４とは、９０度捩れた構成となっているため、かご２が最上階に停止した際には最大のロープ捩じれ変位が発生する。
【００２５】
これに対して、本実施の形態１では、ロープ９の進入角度の変化に対応して、かご吊車異物噛み込み防止装置１２は、図２、図５および図６に示す状態から、図４、図７および図８に示す状態へと変化する。すなわち、ロープ９の進入角度の変化に対応して、弾性体１４ａ，１４ｂと自在継手１６ａ，１６ｂとが追従するように動作する。また、ロープ９の捩じれ角βに対しても、弾性体１４ａ，１４ｂと自在継手１６ａ，１６ｂとの柔軟な変化により、かご吊車異物噛み込み防止装置１２は、図９、図１０および図１１に示すように動作し、ロープの捩れ角の変化にも対応することができる。なお、図９、図１０および図１１において、異物遮蔽体１３の変位と板ばねの変位とが同期しない部分は自在継手１６の角度変位により柔軟に追従できることが明白である。
【００２６】
以上説明したように、本実施の形態１のエレベータによれば、異物遮蔽体がロープの振れ角および捻れ角の双方に対応することができる。また、異物遮蔽体が一対の自在継手および一対の弾性体（板ばね）で支持されるので、上記特許文献１に開示の構成のように、コイルばねで水平方向にスライドされる構造部分を有する態様と比べ、安価な構成で上記のようにロープの振れ角および捻れ角の双方に対応することができる。さらに、異物遮蔽体自体が変形してロープの振れ角や捻れ角に追従するわけではないので、異物遮蔽体が摩耗してメンテネンスに費用が多大にかかるといった問題も生じない。
【００２７】
実施の形態２．
次に、図１５〜図１７を用いて、本発明の実施の形態２について説明する。図１５および図１６はそれぞれ、本実施の形態２に関する、図５および図６と同態様の図である。図１７は、図１６の矢印Ｈからみた図である。なお、本実施の形態２は、以下に説明する部分を除いては、上述した実施の形態１と同様であるものとする。
【００２８】
図１５〜図１７に示されるように、異物遮蔽体１３における自在継手１６ａ，１６ｂ等の支持部分との反対側には、換言すれば、かご吊車４（異物噛み込みを防止しようとする対象）の存在する側には、異物落下防止カバー２１が設けられている。
【００２９】
異物落下防止カバー２１には、自在継手１６ａ，１６ｂの一端側のねじ部３３ａ，３３ｂが貫通しており、異物落下防止カバー２１は、実施の形態１において、ナット１７と異物遮蔽体１３との間に挟み込まれるようにして、ねじ部３３ａ，３３ｂに固定されている。
【００３０】
以上のように構成された本実施の形態２によれば、上述した実施の形態１による優れた利点に加え、異物遮蔽体１３が排除した異物が吊車４側に落下するのを防止することができ、いったん排除した異物が再び噛み込む恐れを大きく低減することができる。
【００３１】
実施の形態３．
図１を用いて、本発明の実施の形態３について説明する。なお、本実施の形態３は、以下に説明する部分を除いては、上述した実施の形態１または２と同様であるものとする。本実施の形態３は、異物の噛み込みを防止する対象としてのロープのガイドが、巻上機５の綱車６である場合の態様である。図１に示されるように、綱車６の上方に、かご吊車異物噛み込み防止装置１２と同様な構成の、一対の巻上機異物噛み込み防止装置１０ａ，１０ｂが設けられている。綱車６に巻き掛けられたロープ９は、綱車６の両側において、上方に延びるため、これに対応して、一対の巻上機異物噛み込み防止装置１０ａ，１０ｂが設けられている。
【００３２】
以上のように構成された本実施の形態３においても、実施の形態１と同様、異物遮蔽体がロープの振れ角および捻れ角の双方に対応することができる。
【００３３】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３４】
２  かご、４  かご吊車（ガイド）、９  ロープ、１３  異物遮蔽体、１４ａ，１４ｂ  弾性体、１５  支持枠、１６ａ，１６ｂ  自在継手、３１，３２  遮蔽部材。
【図１】
2015151249.tif 000003
【図２】
2015151249.tif 000004
【図３】
2015151249.tif 000005
【図４】
2015151249.tif 000006
【図５】
2015151249.tif 000007
【図６】
2015151249.tif 000008
【図７】
2015151249.tif 000009
【図８】
2015151249.tif 000010
【図９】
2015151249.tif 000011
【図１０】
2015151249.tif 000012
【図１１】
2015151249.tif 000013
【図１２】
2015151249.tif 000014
【図１３】
2015151249.tif 000015
【図１４】
2015151249.tif 000016
【図１５】
2015151249.tif 000017
【図１６】
2015151249.tif 000018
【図１７】
2015151249.tif 000019